【手続補正書】
【提出日】平成16年7月28日(2004.7.28)
【手続補正１】
【補正対象書類名】明細書
【補正対象項目名】請求項１
【補正方法】変更
【補正の内容】
【請求項１】
食器類を収容する洗浄槽と、該洗浄槽への水の供給を制御する給水弁装置と、前記洗浄槽の底部に貯まった電気分解水又は洗浄水を食器類に対して噴射或いは機外に排出させる洗浄用ポンプと、交流電源から直流電圧を発生する直流電気発生装置と、該直流電気発生装置からの直流電圧により水を電気分解して電気分解水を生成し、前記洗浄槽へ電気分解水を給水する電気分解装置と、加熱手段を有するボイラーと、該ボイラーに接続され、前記洗浄槽内に蒸気を噴射する蒸気噴射部と、前記電気分解装置又は前記ボイラーへの給水を切換える水路２方向切換装置と、前記洗浄槽内の電気分解水を前記水路２方向切換装置に給水する給水ポンプと、前記給水弁装置、前記洗浄用ポンプ、前記直流電気発生装置、前記加熱手段、前記水路２方向切換装置及び前記給水ポンプを駆動制御する制御手段を備え、
前記制御手段は、前記給水弁装置を開いて前記洗浄槽内に所定量の水を給水し、その後前記給水弁装置を閉じて前記給水ポンプを駆動させると共に前記水路２方向切換装置を前記電気分解装置への給水に切換動作させ、前記直流電気発生装置を動作させて前記電気分解装置が生成した電気分解水を前記洗浄槽を経て再び前記電気分解装置へと所定時間循環させ、その後前記水路２方向切換装置を前記ボイラーへの給水に切換動作させると共に前記加熱手段に通電させ、前記ボイラーで加熱蒸気化した電気分解水を前記蒸気噴射部から前記洗浄槽内に収容された食器類に噴射して洗浄を所定時間行うようにしたことを特徴とする食器洗浄機。
【手続補正２】
【補正対象書類名】明細書
【補正対象項目名】請求項２
【補正方法】変更
【補正の内容】
【請求項２】
前記制御手段は前記ボイラーで加熱蒸気化した電気分解水を前記蒸気噴射部から前記洗浄槽内に収容された食器類に噴射して洗浄を所定時間行った後に、前記給水ポンプを停止させると共に前記加熱手段の通電を停止させ、前記洗浄用ポンプを駆動させて前記洗浄槽の底部に貯まった電気分解水を食器類に対して噴射させるようにしたことを特徴とする請求項１記載の食器洗浄機。
【手続補正３】
【補正対象書類名】明細書
【補正対象項目名】請求項３
【補正方法】変更
【補正の内容】
【請求項３】
食器類を収容する洗浄槽と、該洗浄槽の底部に貯まったアルカリ水、酸性水又は洗浄水を食器類に対して噴射或いは機外に排出させる洗浄用ポンプと、酸性水を一時貯蔵する電気分解水一時貯蔵タンクと、加熱手段を有するボイラーと、該ボイラーに接続され、前記洗浄槽内に蒸気を噴射する蒸気噴射部と、交流電源から直流電圧を発生する直流電気発生装置と、該直流電気発生装置からの直流電圧により水を電気分解してアルカリ水と酸性水とを分離して生成し、アルカリ水を前記ボイラーへ給水し、酸性水を前記一時貯蔵タンクを介して前記洗浄槽へ給水する電気分解装置と、該電気分解装置又は前記ボイラーへの給水を切換える水路２方向切換装置と、前記洗浄槽内のアルカリ水を前記水路２方向切換装置に給水する給水ポンプと、前記給水弁装置、前記洗浄用ポンプ、前記直流電気発生装置、前記加熱手段、前記水路２方向切換装置及び前記給水ポンプを駆動制御する制御手段を備え、
前記制御手段は、前記給水弁装置を開いて前記洗浄槽内に所定量の水を給水し、その後前記給水弁装置を閉じて前記給水ポンプを駆動させると共に前記水路２方向切換装置を前記電気分解装置への給水に切換動作させ、前記直流電気発生装置を動作させて前記電気分解装置が生成したアルカリ水を前記洗浄槽を経て再び前記電気分解装置へと所定時間循環させ、その後前記水路２方向切換装置を前記ボイラーへの給水に切換動作させると共に前記加熱手段に通電させ、前記ボイラーで加熱蒸気化したアルカリ水を前記蒸気噴射部から前記洗浄槽内に収容された食器類に噴射して洗浄を所定時間行うようにしたことを特徴とする食器洗浄機。
【手続補正４】
【補正対象書類名】明細書
【補正対象項目名】請求項７
【補正方法】変更
【補正の内容】
【請求項７】
前記電気分解装置に対して印加する前記直流電気発生装置の電圧の極性を切換え、前記電気分解装置により生成した酸性水をボイラーに送り、該ボイラーで加熱蒸気化した酸性水を前記蒸気噴射部から前記洗浄槽内に収容された食器類に噴射して洗浄を所定時間行うようにしたことを特徴とする請求項３〜６のいずれかに記載の食器洗浄機。
【手続補正５】
【補正対象書類名】明細書
【補正対象項目名】０００５
【補正方法】変更
【補正の内容】
【０００５】
【課題を解決するための手段】
本発明の請求項１に係る食器洗浄機は、食器類を収容する洗浄槽と、該洗浄槽への水の供給を制御する給水弁装置と、前記洗浄槽の底部に貯まった電気分解水又は洗浄水を食器類に対して噴射或いは機外に排出させる洗浄用ポンプと、交流電源から直流電圧を発生する直流電気発生装置と、該直流電気発生装置からの直流電圧により水を電気分解して電気分解水を生成し、前記洗浄槽へ電気分解水を給水する電気分解装置と、加熱手段を有するボイラーと、該ボイラーに接続され、前記洗浄槽内に蒸気を噴射する蒸気噴射部と、前記電気分解装置又は前記ボイラーへの給水を切換える水路２方向切換装置と、前記洗浄槽内の電気分解水を前記水路２方向切換装置に給水する給水ポンプと、前記給水弁装置、前記洗浄用ポンプ、前記直流電気発生装置、前記加熱手段、前記水路２方向切換装置及び前記給水ポンプを駆動制御する制御手段を備え、前記制御手段は、前記給水弁装置を開いて前記洗浄槽内に所定量の水を給水し、その後前記給水弁装置を閉じて前記給水ポンプを駆動させると共に前記水路２方向切換装置を前記電気分解装置への給水に切換動作させ、前記直流電気発生装置を動作させて前記電気分解装置が生成した電気分解水を前記洗浄槽を経て再び前記電気分解装置へと所定時間循環させ、その後前記水路２方向切換装置を前記ボイラーへの給水に切換動作させると共に前記加熱手段に通電させ、前記ボイラーで加熱蒸気化した電気分解水を前記蒸気噴射部から前記洗浄槽内に収容された食器類に噴射して洗浄を所定時間行うようにしたものである。
【手続補正６】
【補正対象書類名】明細書
【補正対象項目名】０００６
【補正方法】変更
【補正の内容】
【０００６】
本発明の請求項２に係る食器洗浄機は、前記制御手段は前記ボイラーで加熱蒸気化した電気分解水を前記蒸気噴射部から前記洗浄槽内に収容された食器類に噴射して洗浄を所定時間行った後に、前記給水ポンプを停止させると共に前記加熱手段の通電を停止させ、前記洗浄用ポンプを駆動させて前記洗浄槽の底部に貯まった電気分解水を食器類に対して噴射させるようにしたものである。
【手続補正７】
【補正対象書類名】明細書
【補正対象項目名】０００７
【補正方法】変更
【補正の内容】
【０００７】
本発明の請求項３に係る食器洗浄機は、食器類を収容する洗浄槽と、該洗浄槽の底部に貯まったアルカリ水、酸性水又は洗浄水を食器類に対して噴射或いは機外に排出させる洗浄用ポンプと、酸性水を一時貯蔵する電気分解水一時貯蔵タンクと、加熱手段を有するボイラーと、該ボイラーに接続され、前記洗浄槽内に蒸気を噴射する蒸気噴射部と、交流電源から直流電圧を発生する直流電気発生装置と、該直流電気発生装置からの直流電圧により水を電気分解してアルカリ水と酸性水とを分離して生成し、アルカリ水を前記ボイラーへ給水し、酸性水を前記一時貯蔵タンクを介して前記洗浄槽へ給水する電気分解装置と、該電気分解装置又は前記ボイラーへの給水を切換える水路２方向切換装置と、前記洗浄槽内のアルカリ水を前記水路２方向切換装置に給水する給水ポンプと、前記給水弁装置、前記洗浄用ポンプ、前記直流電気発生装置、前記加熱手段、前記水路２方向切換装置及び前記給水ポンプを駆動制御する制御手段を備え、前記制御手段は、前記給水弁装置を開いて前記洗浄槽内に所定量の水を給水し、その後前記給水弁装置を閉じて前記給水ポンプを駆動させると共に前記水路２方向切換装置を前記電気分解装置への給水に切換動作させ、前記直流電気発生装置を動作させて前記電気分解装置が生成したアルカリ水を前記洗浄槽を経て再び前記電気分解装置へと所定時間循環させ、その後前記水路２方向切換装置を前記ボイラーへの給水に切換動作させると共に前記加熱手段に通電させ、前記ボイラーで加熱蒸気化したアルカリ水を前記蒸気噴射部から前記洗浄槽内に収容された食器類に噴射して洗浄を所定時間行うようにしたものである。
【手続補正８】
【補正対象書類名】明細書
【補正対象項目名】００１３
【補正方法】変更
【補正の内容】
【００１３】
本発明の請求項７に係る食器洗浄機は、前記電気分解装置に対して印加する前記直流電気発生装置の電圧の極性を切換え、前記電気分解装置により生成した酸性水をボイラーに送り、該ボイラーで加熱蒸気化した酸性水を前記蒸気噴射部から前記洗浄槽内に収容された食器類に噴射して洗浄を所定時間行うようにしたものである。
【手続補正９】
【補正対象書類名】明細書
【補正対象項目名】００１６
【補正方法】変更
【補正の内容】
【００１６】
２９は食器洗浄機本体１の上部に配置された円筒状の高速噴射型ボイラー、３０は高速噴射型ボイラー２９に接続され、蒸気を洗浄槽２にジェット噴射する微孔からなる蒸気噴射部であるジェットノズル、３１は高速噴射型ボイラー２９に設けられた第２の加熱手段である第２のヒータである。３７は高速噴射型ボイラー２９と後述する水路２方切換装置とを接続する連絡管である。
３８は第１の取水管１７に接続された排水ホース、３９は給水ポンプ、４０は貯水タンク１６から取水する第２の取水管で、給水ポンプ３９に接続されている。４１は給水ポンプ３９に接続されている第２の導水管、４２は給水ホース２３に接続され、洗浄槽２内に給水する給水弁装置、４３は第２の導水管１４に接続され、水道水を電気分解装置と円筒状のボイラー２９とにそれぞれ切換えて供給する水路２方切換装置である。
４４は塩投入装置、４６は貯水タンク１６の底部に設けられたろ過フィルタである。
【手続補正１０】
【補正対象書類名】明細書
【補正対象項目名】００１８
【補正方法】変更
【補正の内容】
【００１８】
図４において、２５は電気分解装置９ａの第１の電極、２６は電気分解装置９ａの第２の電極、２７は第１の電極２５と第２の電極２６とにそれぞれ設けられたスペーサである。４７は塩自動投入装置４４の下部に設けられ、洗浄槽２内に塩２４を投入する塩投入口、４８は塩自動投入装置４４に内蔵され、塩投入口４７を開閉する塩投入口開閉用ソレノイド、４９は塩自動投入装置４４の下部に設けられた塩補充用口である。
図４において、５は例えばマイクロコンピュータで構成される制御手段である制御部で、洗浄行程〜すすぎ行程に至るプログラム等を記憶する記憶部（図示省略）と、各行程の時間を管理するタイマ部（図示省略）とを有している。
制御部５は操作部４における各種キー、流量計１５からの各信号が入力されると、これらの入力信号並びに記憶部に記憶されたプログラムに基づいて、直流電気発生装置８、洗浄用ポンプ１８、第１のヒータ２１、第２のヒータ３１，給水ポンプ３９、給水装置４２並びに水路２方切換装置４３を駆動制御する。
【手続補正１１】
【補正対象書類名】明細書
【補正対象項目名】００２８
【補正方法】変更
【補正の内容】
【００２８】
実施の形態２．
図６は本発明の実施の形態２に係る食器洗浄機の構成を示す断面図、図７は同食器洗浄機の要部を示す断面図である。
この実施の形態２の食器洗浄機も循環式混合型と呼ばれるものである。
この実施の形態２において、実施の形態１と同一の構成は同一符号を付して重複した構成の説明を省略する。
この実施の形態２は、電気分解装置９ａに第２のヒータが設けられた箱状のボイラー１０が接続され、そのボイラー１０に蒸気を洗浄槽２に噴射する蒸気噴射部である３つの噴射口１２が設けられている構成が実施の形態１と異なる点である。
【手続補正１２】
【補正対象書類名】明細書
【補正対象項目名】００３０
【補正方法】変更
【補正の内容】
【００３０】
実施の形態３．
図８は本発明の実施の形態３に係る食器洗浄機の構成を示す断面図、図９は同食器洗浄機の拡散ノズルを示す断面図である。
この実施の形態３の食器洗浄機も循環式混合型と呼ばれるものである。
この実施の形態３において、実施の形態１と同一の構成は同一符号を付して重複した構成の説明を省略する。
この実施の形態３は、電気分解装置９ａに第２のヒータ３１が設けられた高速噴射型ボイラー２９が接続され、その高速噴射型ボイラー２９に蒸気を洗浄槽２に拡散噴射する蒸気噴射部である拡散ノズル３２が接続されている構成が実施の形態１と異なる点である。
【手続補正１３】
【補正対象書類名】明細書
【補正対象項目名】００４４
【補正方法】変更
【補正の内容】
【００４４】
実施の形態５．
図１３は本発明の実施の形態５に係る食器洗浄機の構成を示す断面図、図１４は同食器洗浄機の要部を示す断面図である。
この実施の形態５の食器洗浄機も循環式分離型と呼ばれるものである。
この実施の形態５において、実施の形態４と同一の構成は同一符号を付して重複した構成の説明を省略する。
この実施の形態５は、電気分解装置９ｂの第１の電極２５側に第２のヒータ３１が設けられた箱状のボイラー１０が接続され、そのボイラー１０に蒸気を洗浄槽２に噴射する蒸気噴射部である３つの噴射口１２が設けられている構成が実施の形態４と異なる点である。
【手続補正１４】
【補正対象書類名】明細書
【補正対象項目名】００４７
【補正方法】変更
【補正の内容】
【００４７】
実施の形態６．
図１５は本発明の実施の形態６に係る食器洗浄機の構成を示す断面図である。
この実施の形態６の食器洗浄機も循環式分離型と呼ばれるものである。
この実施の形態６において、実施の形態４と同一の構成は同一符号を付して重複した構成の説明を省略する。
この実施の形態６は、電気分解装置９ｂの第１の電極ａ側に第２のヒータ３１が設けられた高速噴射型ボイラー２９が接続され、その高速噴射型ボイラー２９に蒸気を洗浄槽２に拡散噴射する蒸気噴射部である拡散ノズル３２が接続されている構成が実施の形態４と異なる点である。